【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】  薬品マスターファイルから患者に注射すべき薬品を選択し、この選択した薬品と該当薬品の量とからなる手技と該当手技の１日以上の実施日及び各実施日における該当手技の実施回数とからなるオーダを一つの区切としてオーダファイルへ登録するオーダ入力手段と、
前記オーダファイルに登録された各区切の実施状況を記憶する実施状況記憶手段と、
この実施状況記憶手段に記憶されている各区切を構成する各実施日における各手技毎の実施状況を外部指示に基づいて変更する実施状況変更手段と、
この実施状況変更手段にて変更された各区切の前記各実施日における各手技の実施状況を個別に診療履歴画面として表示出力する実施状況表示手段と
を備えた病院情報システムにおける注射オーダ処理装置。
【請求項２】  前記実施状況表示手段は、前記オーダファイルに登録された同一薬品及び同一量の手技を含む複数区切の各手技の各実施日における各実施状況を同一欄内で区切毎に行を変えて表示する
ことを特徴とする請求項１記載の病院情報システムにおける注射オーダ処理装置。
【請求項３】  前記各手技の実施状況は、少なくとも未実施、実施済、中止を含み、
前記実施状況表示手段は、前記未実施、実施済、中止の各実施状況を互いに異なるマークで表示する
ことを特徴とする請求項２記載の病院情報システムにおける注射オーダ処理装置。
【請求項４】  前記実施状況変更手段は、前記各手技の実施状況が前記診療履歴画面に表示された状態において、変更対象実施状況のマークを指定するＧＵＩ手段で実施されることを特徴とする請求項３記載の病院情報システムにおける注射オーダ処理装置。
【請求項５】  前記オーダ入力手段は、前記診療履歴画面に実施状況が未実施状況で表示済みの手技を新たに実施日を指定して入力する場合、該当手技のマークを指定の実施日の欄に複写させるＧＵＩ手段で実施されることを特徴とする請求項４記載の病院情報システムにおける注射オーダ処理装置。
【請求項６】  薬品マスターファイルから患者に注射すべき薬品を選択し、この選択した薬品と該当薬品の量とからなる手技と該当手技の１日以上の実施日及び各実施日における該当手技の実施回数とからなるオーダを一つの区切としてオーダファイルへ登録するオーダ入力手段と、
前記オーダファイルに登録された少なくとも未実施、実施済、中止、及び手技のための薬品を準備した後の中止を示す不実施を含む各区切の実施状況を記憶する実施状況記憶手段と、
この実施状況記憶手段に記憶されている各区切の実施状況を外部指示に基づいて変更する実施状況変更手段と、
この実施状況変更手段にて変更された各区切の実施状況を表示出力する実施状況表示手段と、
前記各区切の実施状況に基づいて会計処理を行う会計手段と、
実施日を指定した手技の送信要求に応じて、指定実施日に登録された各手技のうちの実施状況が実施済み及び不実施と指定された各手技のみを前記会計手段へ転送する手技転送手段と
を備えた病院情報システムにおける注射オーダ処理装置。
【請求項７】  薬品マスターファイルから患者に注射すべき薬品と当該薬品の量を分割不可能な薬品単位量で選択し、この選択した薬品と該当薬品の量とからなる手技と該当手技の１日以上の実施日及び各実施日における該当手技の実施回数とからなるオーダを一つの区切としてオーダファイルへ登録するオーダ入力手段と、
前記オーダファイルに登録された各区切の実施状況を記憶する実施状況記憶手段と、
この実施状況記憶手段に記憶されている各区切の実施状況を外部指示に基づいて変更する実施状況変更手段と、
この実施状況変更手段にて変更された各区切の実施状況を表示出力する実施状況表示手段と、
前記各区切の実施状況に基づいて会計処理を行う会計手段と
を備えた病院情報システムにおける注射オーダ処理装置。
【請求項８】  前記薬品マスターファイルは、同一薬品で収納量が異なる複数種類の品番が登録され、
前記会計手段は、
各手技に対する料金を算出するときでかつ該当手技が薬品の量を指定したとき、この指定量と前記薬品マスターファイルに記憶されている同一薬品の最少の収納量とを比較する第１の比較手段と、
この第１の比較手段により前記指定量が最少の収納量より少ない場合は、該当収納量の品番の点数を該当手技の点数に設定する第１の料金算出手段と、
前記指定量が前記最少の収納量より多い場合は、前記指定量と前記薬品マスターファイルに記憶されている同一薬品の最大の収納量とを比較する第２の比較手段と、
この第２の比較手段により前記指定量が最大の収納量より小さい場合は、前記薬品マスターファイルに記憶されている同一薬品のうち、前記指定量以上でかつ指定量に最も近い収納量の品番の点数を該当手技の点数に設定する第２の料金算出手段と
を備えたことを特徴とする請求項７記載の病院情報システムにおける注射オーダ処理装置。
【請求項９】  前記第２の比較手段により前記指定量が最大の収納量以上の場合は、少なくともこの最大の収納量の点数に前記指定量を最大の収納量で除算した除算値の整数部分の値を乗算した点数が該当手技の点数に含まれる第３の料金算出手段
を備えたことを特徴とする請求項８記載の病院情報システムにおける注射オーダ処理装置。
【手続補正２】
【補正対象書類名】明細書
【補正対象項目名】００２７
【補正方法】変更
【補正の内容】
【００２７】
【課題を解決するための手段】
本発明は、薬品マスターファイルから患者に注射すべき薬品を選択し、この選択した薬品と該当薬品の量とからなる手技と該当手技の１日以上の実施日及び各実施日における該当手技の実施回数とからなるオーダを一つの区切としてオーダファイルへ登録するオーダ入力手段と、オーダファイルに登録された各区切の実施状況を記憶する実施状況記憶手段と、この実施状況記憶手段に記憶されている各区切を構成する各実施日における各手技毎の実施状況を外部指示に基づいて変更する実施状況変更手段と、この実施状況変更手段にて変更された各区切の各実施日における各手技の実施状況を個別に診療履歴画面として表示出力する実施状況表示手段とを備えた病院情報システムにおける注射オーダ処理装置である。
【手続補正３】
【補正対象書類名】明細書
【補正対象項目名】００２８
【補正方法】削除
【補正の内容】
【手続補正４】
【補正対象書類名】明細書
【補正対象項目名】００３８
【補正方法】変更
【補正の内容】
【００３８】
また、本発明は、薬品マスターファイルから患者に注射すべき薬品を選択し、この選択した薬品と該当薬品の量とからなる手技と該当手技の１日以上の実施日及び各実施日における該当手技の実施回数とからなるオーダを一つの区切としてオーダファイルへ登録するオーダ入力手段と、オーダファイルに登録された少なくとも未実施、実施済、中止、及び手技のための薬品を準備した後の中止を示す不実施を含む各区切の実施状況を記憶する実施状況記憶手段と、この実施状況記憶手段に記憶されている各区切の実施状況を外部指示に基づいて変更する実施状況変更手段と、この実施状況変更手段にて変更された各区切の実施状況を表示出力する実施状況表示手段と、各区切の実施状況に基づいて会計処理を行う会計手段と、実施日を指定した手技の送信要求に応じて、指定実施日に登録された各手技のうちの実施状況が実施済み及び不実施と指定された各手技のみを前記会計手段へ転送する手技転送手段とを備えた病院情報システムにおける注射オーダ処理装置である。
【手続補正５】
【補正対象書類名】明細書
【補正対象項目名】００３９
【補正方法】削除
【補正の内容】